(57)【特許請求の範囲】
【請求項１】
隣り合う外壁面材の間に形成される目地に充填されるシーリング材の裏面側を支持する部位となるバッカー部と、このバッカー部の両側で当該バッカー部に対して折り曲げ可能に形成されたリップ部とを有しており、
上記リップ部が手で裂かれることで上記バッカー部から分離可能であり、分離されずに残されたリップ部が折り曲げられることで上記目地に入れられた状態において上記残されたリップ部に弾性復元力が生じ、上記残されたリップ部が広がって上記外壁面材の裏の角部に引っ掛かり、
上記リップ部は、上記バッカー部側に位置する第１面部と、先端側に位置する第２面部と、上記第１面部と上記第２面部との間に形成され、上記第２面部を上記第１面部よりも外側に位置させる段部とを有していることを特徴とする目地用バッカー。
【請求項２】
請求項１に記載の目地用バッカーにおいて、上記目地の奥行き方向となる上記リップ部の幅方向の途中箇所から上記リップ部が裂かれて分離できることを特徴とする目地用バッカー。
【請求項３】
請求項２に記載の目地用バッカーにおいて、上記途中箇所には、上記リップ部の上記幅方向と直交する方向に、ノッチ部が形成されており、上記ノッチ部で上記リップ部が裂かれて分離できることを特徴とする目地用バッカー。
【請求項４】
請求項１に記載の目地用バッカーにおいて、上記目地の奥行き方向となる上記リップ部の幅方向の全体が裂かれて分離できることを特徴とする目地用バッカー。
【請求項５】
請求項４に記載の目地用バッカーにおいて、上記バッカー部と上記リップ部との境界部が、上記リップ部の厚みよりも薄くされており、この薄くされた境界部で上記リップ部が裂かれて分離できることを特徴とする目地用バッカー。
【請求項６】
隣り合う外壁面材の間に形成される目地に充填されるシーリング材の裏面側を支持する部位となるバッカー部と、このバッカー部の両側で当該バッカー部に対して折り曲げ可能に形成されたリップ部とを有しており、上記リップ部が手で裂かれることで上記バッカー部から分離可能であり、分離されずに残されたリップ部が折り曲げられることで上記目地に入れられた状態において上記残されたリップ部に弾性復元力が生じ、上記残されたリップ部が広がって上記外壁面材の裏の角部に引っ掛かる目地用バッカーが、上下に隣り合う外壁面材の間に形成される横目地に入れられた目地止水構造であって、
上記目地用バッカーが、上記外壁面材の屋内側に設けられる通気胴縁を避け且つ当該通気胴縁間の通気層の一部を避けるように上記リップ部が分離されて、上記横目地に入れられたことを特徴とする目地止水構造。
【請求項７】
請求項６に記載の目地止水構造において、上記目地用バッカーの上記バッカー部が粘着テープによって上記通気胴縁の屋外側面に固定されたことを特徴とする目地止水構造。
【発明の詳細な説明】
【技術分野】
【０００１】
この発明は、建物の目地に設けられる目地用バッカーおよびこの目地用バッカーを用いた目地止水構造に関する。
【背景技術】
【０００２】
上下に隣り合う外壁面材の間に形成される横目地に不定形のシーリング材を設ける場合に、この不定形のシーリング材の裏面側を支持する目地用バッカーを上記横目地に設けることがある。ただし、上記外壁面材の屋内側に設けられた通気胴縁によって通気層が確保される場合、上記目地用バッカーで上記通気層を塞がない施工が求められる。
【０００３】
特許文献１には、上下に隣り合う外装材間の目地部に挿入した場合に、上下に通気・通水を確保できるバックアップ材が開示されている。このバックアップ材は、上下に隣り合う外装材間に形成される目地部に挿入された際に、躯体に当接するとともに、通気・通水機能を有する通気・通水部材と、この通気・通水部材の上面に設けられて、シーリング材が充填される目地部の底面を構成する目地底構成部材とを備えている。
【先行技術文献】
【特許文献】
【０００４】
【特許文献１】特開２００８−１５６８４２号公報
【発明の概要】
【発明が解決しようとする課題】
【０００５】
しかしながら、上記特許文献１に開示されているバックアップ材は、上記通気・通水部材が網目構造で複雑であるため、コスト高を招くという問題がある。
【０００６】
この発明は、上記の事情に鑑み、外壁面材の屋内側に設けられる通気層が塞がれるのを防止できる構造を低コストで実現できる目地用バッカーおよびこの目地用バッカーを用いた目地止水構造を提供することを課題とする。
【課題を解決するための手段】
【０００７】
この発明の目地用バッカーは、上記の課題を解決するために、隣り合う外壁面材の間に形成される目地に充填されるシーリング材の裏面側を支持する部位となるバッカー部と、このバッカー部の両側で当該バッカー部に対して折り曲げ可能に形成されたリップ部とを有しており、上記リップ部が手で裂かれることで分離可能であり、分離されずに残されたリップ部が折り曲げられて上記目地に入れられることで上記残されたリップ部に弾性復元力が生じ、上記残されたリップ部が上記弾性復元力で広がって上記外壁面材の裏の角部に引っ掛かることを特徴とする。
【０００８】
上記の構成であれば、外壁面材の屋内側に設けられる通気胴縁およびこの通気胴縁間の通気層の一部を避けるように上記リップ部を手で裂いて分離することができる。そして、このように上記リップ部の一部が分離された目地用バッカーを目地に入れることで、上記通気層の全部が上記リップ部で塞がれるのを防止し、通気を確保することができる。一方、残された上記リップ部は上記通気層内で弾性復元力により広がって上記外壁面材の裏の角部に引っ掛かることができるので、当該通気層の箇所においてシーリング材をしっかりと支持することができる。そして、この目地用バッカーは、上記リップ部を手で裂いて分離できる構造なので、施工作業が素早く行え、また、従来の網目構造の通気・通水部材に比べ、低コストで作製することができる。
【０００９】
上記残されるリップ部以外の箇所において、上記リップ部の分離箇所をリップ部全体とするか或いはリップ部の途中箇所からとするかは特に問わない。例えば、上記目地の奥行き方向となる上記リップ部の幅方向の途中箇所から上記リップ部が裂かれて分離できるようにしてもよい。
【００１０】
上記途中箇所には、上記リップ部の上記幅方向と直交する方向に、ノッチ部が形成されており、上記ノッチ部で上記リップ部が裂かれて分離できるようにしてもよい。上記ノッチ部が形成されていると、上記リップ部を上記ノッチ部に沿って容易に手で裂いて分離することができる。
【００１１】
或いは、上記目地の奥行き方向となる上記リップ部の幅方向の全体が裂かれて分離できるようにしてもよい。この構成において、上記バッカー部と上記リップ部との境界部が、上記リップ部の厚みよりも薄くされており、この薄くされた境界部で上記リップ部が裂かれて分離できるようにしてもよい。
【００１２】
上記リップ部は、上記バッカー部側に位置する第１面部と、先端側に位置する第２面部と、上記第１面部と上記第２面部との間に形成され、上記第２面部を上記第１面部よりも外側に位置させる段部とを有していてもよい。このような構成は、当該目地用バッカーを縦目地に流用する場合に好適となる。
【００１３】
また、この発明の目地止水構造は、上下に隣り合う外壁面材の間に形成される横目地に上記いずれかの目地用バッカーが入れられた目地止水構造であって、上記目地用バッカーが、上記外壁面材の屋内側に設けられる通気胴縁を避け且つ当該通気胴縁間の通気層の一部を避けるように上記リップ部が分離されて、上記横目地に入れられたことを特徴とする。
【００１４】
上記の構成であれば、上記外壁面材の屋内側に形成される通気層の全部が上記リップ部で塞がれるのが防止される。また、残されたリップ部は上記通気層内で弾性復元力により広がって上記外壁面材の裏の角部に引っ掛かることができるので、当該通気層の箇所においてもシーリング材をしっかりと支持することができる。
【００１５】
上記目地用バッカーのバッカー部が粘着テープによって上記通気胴縁の屋外側面に固定されてもよい。これによれば、上記通気胴縁が存在する箇所において上記目地用バッカーがしっかりと固定される。
【発明の効果】
【００１６】
本発明であれば、目地用バッカーを低コストで作製することが可能であり、この目地用バッカーを用いて外壁面材の屋内側の通気を容易に確保することができるという効果を奏する。
【図面の簡単な説明】
【００１７】
【図１】本発明の実施形態の目地用バッカーおよび目地止水構造を示した概略の断面図である。
【図２】本発明の実施形態を示す図であって、リップ部が一部分離された目地用バッカーを横目地に入れる様子を示した概略の斜視図である。
【図３】図１に示されている目地用バッカーを拡大した説明図であって、同図（Ａ）は断面略コ字形状にされた状態を示し、同図（Ｂ）は自然形状状態を示している。
【図４】本発明の他の実施形態の目地用バッカーを示した説明図であって、同図（Ａ）は断面略コ字形状にされた状態を示し、同図（Ｂ）は自然形状状態を示している。
【図５】本発明の実施形態の目地用バッカーを縦目地に用いた例を示した縦目地構造の概略の断面図である。
【発明を実施するための形態】
【００１８】
図１に示すように、外壁パネル１は、例えば、外壁面材１１と、この外壁面材１１の屋内側に設けられた通気胴縁１２と、この通気胴縁１２の屋内側に設けられた断熱板１３と、これらを支持する外壁フレーム部１４とを備える。上記通気胴縁１２間であって、上記外壁面材１１と上記断熱板１３との間に、通気層１５が形成される。なお、上記通気胴縁１２は、例えば、ポリスチレン（ＰＳ）樹脂からなる。
【００１９】
図１に示されている上下各々の外壁パネル１において、各々の外壁フレーム部１４は、例えば、溝型鋼からなる上下配置の横フレーム部と左右配置の縦フレーム部とを四角枠状に有してなる。また、上側の外壁パネル１においては、その外壁面材１１の下端部が外壁フレーム部１４の下端よりも下に位置しており、下側の外壁パネル１においては、その外壁面材１１の上端部が外壁フレーム部１４の上端よりも下に位置している。そして、上側の外壁パネル１の外壁面材１１の下端と下側の外壁パネル１の外壁面材１１の上端との間に横目地２が形成される。この横目地２内にこの実施形態の目地用バッカー３が設けられる。そして、この目地用バッカー３上に不定形のシーリング材４が充填され、この不定形のシーリング材４の裏面側が上記目地用バッカー３で支えられる。
【００２０】
図２にも示すように、下側の外壁パネル１の通気胴縁１２は、上記横目地２の奥側の空間において、当該下側の外壁パネル１の外壁面材１１の上端より５ｍｍ程度上方に突出するように設けられている。また、上記通気胴縁１２は横に４５５ｍｍピッチで互いの間に空間を形成して設けられる。上記空間が上下方向に通じる上記通気層１５となる。ここで、仮に厚みの薄い扁平なバッカーを上記通気胴縁１２の上記突出する部分に貼り付けて設けた場合、上記通気胴縁１２間の上記通気層１５となる箇所では、不定形のシーリング材の下支えがしっかりとできない。
【００２１】
この実施形態の目地用バッカー３は、図３（Ａ）にも示すように、バッカー部３１とリップ部３２とを有している。上記バッカー部３１は、上記横目地２内に充填されるシーリング材４の裏面側を支持する部位となる。上記リップ部３２は、上記バッカー部３１の両側で当該バッカー部３１に対して折り曲げ可能に形成されている。また、上記バッカー部３１の両端の裏面側と上記リップ部３２との間に横向き開口の凹溝３３が形成されている。上記バッカー部３１の幅は８ｍｍ程度とされ、厚みは３ｍｍ程度とされる。また、上記リップ部３２の厚みは０．７ｍｍ程度とされる。
【００２２】
そして、上記目地用バッカー３は、上記リップ部３２が折り曲げられて上記横目地２内に入れられている途中の状態では、上記図３（Ａ）に示したように、断面略コ字形状を成す。一方、上記目地用バッカー３は、上記横目地２内に設けられる前の自然状態、或いは、上記横目地２の奥側で上記リップ部３２が広がった状態では、図３（Ｂ）に示すように、低い山形状をなす。
【００２３】
各リップ部３２には、係合部３２ａが形成されている。各リップ部３２は、例えば、上記バッカー部３１側に位置する第１面部３２１と、先端側に位置する第２面部３２２と、上記第１面部３２１と上記第２面部３２２との間に形成され、上記第２面部３２２を上記第１面部３２１よりも外側に位置させる段部Ｓとを有しており、上記段部Ｓが上記係合部３２ａとなっている。上記目地用バッカー３が横目地用として用いられるときには、上記係合部３２ａは特に利用されないので無くてもよいが、縦目地用に流用するときには、上記係合部３２ａが役立つ。これについては後述する。
【００２４】
また、上記目地用バッカー３は、上記横目地２の奥行き方向となる上記リップ部３２の幅方向の途中箇所において手で裂いて分離できるようになっている。この実施形態では、上記途中箇所には、上記リップ部３２の上記幅方向と直交する方向（目地用バッカー３の長手方向）に、上記リップ部３２の厚みよりも薄くなる部位を形成するノッチ部３２ｂが形成されている。また、上記途中箇所は、上記バッカー部３１に近い位置に形成されており、分離後の残存部が上記バッカー部３１の縁を越えて突出しないようになっている。上記ノッチ部３２ｂの断面形状は半円形に限らず、四角形、三角形等とすることができる。
【００２５】
上記目地用バッカー３は、例えば、ＴＰＯ（オレフィン系エラストマー）からなる。もちろん、このような素材に限るものではない。また、素材としてはゴム様弾性体が好ましく、ＥＰＤＭ（エチレン・プロピレンゴム）などの合成ゴムやまたは上記ＴＰＯのような熱可塑性エラストマーがよい。更にＰＶＣ（ポリ塩化ビニル）などの樹脂でもよい。
【００２６】
上記目地用バッカー３を横目地２に用いるときには、図２に示したように、上記リップ部３２の一部を上記ノッチ部３２ｂに沿って手で裂いて分離する。なお、上記リップ部３２の幅方向の切断は鋏を用いて行えばよい。上記リップ部３２の一部は、上記通気胴縁１２が位置する箇所で裂かれて分離され、残されたリップ部３２は上記通気胴縁１２間の通気層１５の箇所に位置することになる。ただし、上記通気層１５の全ての幅で上記リップ部３２が残されると、上記通気層１５を大きく狭めてしまうので、上記通気層１５の幅よりも短くなるように上記リップ部３２を残すようにする。
【００２７】
上記目地用バッカー３において、分離されずに残されたリップ部３２を指で折り曲げて断面略コ字形状にすることにより、上記目地用バッカー３を上記横目地２に入れることができる。上記残されたリップ部３２が折り曲げられて上記横目地２に入れられることで上記リップ部３２に弾性復元力が生じ、図１に示したように、上記残されたリップ部３２が広がり、上記リップ部３２の根元箇所が上記外壁面材１１の裏の角部に引っ掛かる。そして、上記バッカー部３１の裏面であって上記通気胴縁１２と対面する箇所が、両面粘着テープ５によって、上記通気胴縁１２の屋外側面に貼り付けられる。すなわち、上記目地用バッカー３が上記両面粘着テープ５によって上記通気胴縁１２に固定される構造とする。
【００２８】
上記の構成であれば、上記外壁面材１１の屋内側に設けられる通気胴縁１２およびこの通気胴縁１２間の通気層１５の一部を避けるように上記リップ部３２を手で裂いて分離することができる。そして、このように上記リップ部３２の一部が分離された目地用バッカー３を上記横目地２に入れることで、上記通気層１５の全部が上記リップ部３２で塞がれるのを防止し、通気を確保することができる。一方、上記残されたリップ部３２は上記通気層１５内で弾性復元力により広がって上記外壁面材１１の裏の角部に引っ掛かることができるので、当該通気層１５の箇所においてシーリング材４をしっかりと支持することができる。そして、この目地用バッカー３は、上記リップ部３２を手で裂いて分離できる構造なので、施工作業が素早く行え、また、従来の網目構造の通気・通水部材に比べ、低コストで作製することができる。
【００２９】
上記リップ部３２の上記途中箇所に上記ノッチ部３２ｂが形成されていると、上記リップ部３２を上記ノッチ部３２ｂに沿って容易に手で裂いて分離することができる。なお、上記途中箇所にカッター等によって切込が入れられた構造としてもよいが、上記ノッチ部３２ｂは当該目地用バッカー３を成形するときに同時形成できるので、上記切込を入れる構造よりも製造が容易であるという利点もある。また、上記途中箇所のみ裂け易い素材で形成してもよいが、上記ノッチ部を形成する構造の方が、低コスト化が図り易い。
【００３０】
上記目地用バッカー３においては、上記残されるリップ部以外の箇所において、上記リップ部の分離箇所をリップ部の途中箇所からとしたが、これに限らない。図４（Ａ）および図４（Ｂ）に他の実施形態の目地用バッカー３００を示す。この目地用バッカー３００においては、上記リップ部３２の境界部３２ｃがリップ部の厚みよりも薄肉に形成されており、上記リップ部３２の折り曲げが行い易くなっている。上記リップ部３２の境界部３２ｃは、上記バッカー部３１の裏面側となる上記凹溝３３の下方であって、上記バッカー部３１の両縁よりも内側に位置している。
【００３１】
上記目地用バッカー３００においては、上記横目地２の奥行き方向となる上記リップ部３２の幅方向の全体を、上記境界部３２ｃに沿って手で裂いて分離することができる。なお、上記境界部３２ｃの部位が角張った凹状に形成されていると、この凹状部の角に沿って裂け易くなる。
【００３２】
なお、上記境界部３２ｃにカッター等によって切込が入れられた構造としてもよいが、上記薄くされた境界部３２ｃは当該目地用バッカー３を成形するときに同時形成できるので、上記切込を入れる構造よりも製造が容易であるという利点もある。また、上記境界部３２ｃのみ裂け易い素材で形成してもよいが、上記薄くされた境界部３２ｃを形成する構造の方が、低コスト化が図り易い。
【００３３】
次に、上記目地用バッカー３を縦目地に流用することについて説明していく。図５に示すように、左右に隣り合う外壁パネル１間に縦目地空間が形成される。そして、上記縦目地空間において、上記通気胴縁１２間の空間部の幅は、上記外壁面材１１間の空間部の幅および上記断熱板１３間の空間部の幅よりも広くなっている。
【００３４】
上記通気胴縁１２間の空間部および上記断熱板１３間の空間部には、当該空間部をシールするガスケット（以下、２次ガスケットという）７が設けられている。
【００３５】
上記縦目地内であって、上記２次ガスケット７の上記頭部の上側（屋外側）の位置に、上記目地用バッカー３が設けられる。上記目地用バッカー３は、上記２次ガスケット７における上記頭部によって受け止められる。
【００３６】
上記目地用バッカー３の長手方向の長さは例えば２６００ｍｍ程度とされる。なお、このような長さに対して、一般的なバッカーの長手方向の長さは１０００ｍｍ程度とされるため、３本程度継いで施工することになるが、上記目地用バッカー３を上記のように長尺に形成しておくと、施工を１回で済ませることができる。
【００３７】
上記目地用バッカー３の両リップ部３２を、裂いて分離せずに、指で折り曲げて断面略コ字形状にすることにより、上記目地用バッカー３を上記縦目地に入れることができる。上記目地用バッカー３が上記縦目地に入れられることで、両リップ部３２の係合部３２ａが上記外壁面材１１の裏の角部にそれぞれ引っ掛かる。そして、上記目地用バッカー３の両リップ部３２に弾性復元力が生じることで、上記引っ掛かりは圧接状態で行われ、当該目地用バッカー３が上記縦目地から外れるのが防止される。
【００３８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３９】
１      外壁パネル
１１    外壁面材
１２    通気胴縁
１３    断熱板
１４    外壁フレーム部
２      横目地
３      目地用バッカー
３１    バッカー部
３２    リップ部
３３    凹溝
３２ａ  係合部
３２ｂ  ノッチ部
３２ｃ  境界部
４      シーリング材
５      両面粘着テープ
７      ２次ガスケット
【図１】
0006585889.tif 000002
【図２】
0006585889.tif 000003
【図３】
0006585889.tif 000004
【図４】
0006585889.tif 000005
【図５】
0006585889.tif 000006